(57)【特許請求の範囲】
【請求項１】
風力発電機の多段組立型インペラであって、
第１位置決め機構１と、固定機構２と、多段のインペラ本体３と、伝動機構４と、第２位
置決め機構５と、位置限定機構６と、および駆動機構７とを含み、
風力発電機へ接続する最端部の一段の前記インペラ本体３に位置決めに用いられる前記第
１位置決め機構１が設けられており、隣り合う両段の前記インペラ本体３の対向端にそれ
ぞれ前記固定機構２と前記第２位置決め機構５が設けられており、隣り合う前記固定機構
２と前記第２位置決め機構５とが係合されており、前記固定機構２の内部に隣り合う前記
第２位置決め機構５を位置限定するための前記位置限定機構６が設けられており、前記位
置限定機構６と前記第２位置決め機構５とが係合されており、前記固定機構２の内部に前
記位置限定機構６を増圧させるための前記伝動機構４が設けられており、前記伝動機構４
が駆動に用いられる前記駆動機構７に接続されており、前記駆動機構７と前記伝動機構４
とが取外可能に接続されており、前記駆動機構７と前記固定機構２とが係合されている、
ことを特徴とする風力発電機の多段組立型インペラ。
【請求項２】
前記固定機構２は、蓋板２１と、半田ワイヤ２２と、固定スリーブ２３と、補強ロッド２
４と、を含み、
隣り合う両段の前記インペラ本体３の一端に前記半田ワイヤ２２によって前記固定スリー
ブ２３がはんだ付けされており、前記固定スリーブ２３の軸方向における断面の端部がＴ
字状であり、前記固定スリーブ２３に前記固定スリーブ２３および前記インペラ本体３を
垂直に貫通するように円環アレイにて複数個の前記補強ロッド２４が設けられており、前
記補強ロッド２４が前記半田ワイヤ２２にはんだ付けされており、前記固定スリーブ２３
に前記蓋板２１がはんだ付けされている、ことを特徴とする請求項１に記載の風力発電機
の多段組立型インペラ。
【請求項３】
前記第２位置決め機構５は、位置決めスリーブ５１と、半田溝５２とを含み、
断面が台形である前記位置決めスリーブ５１および前記固定スリーブ２３が、それぞれ隣
り合う両段の前記インペラ本体３の対向端に対称的にはんだ付けされており、前記位置決
めスリーブ５１と前記固定スリーブ２３のとが係合されており、前記位置決めスリーブ５
１と前記固定スリーブ２３の端部とが係合されており、前記固定スリーブ２３の前記位置
決めスリーブ５１の一端に向かう端部が正六角柱の構成とされており、隣り合う両段の前
記インペラ本体３の対向端にそれぞれ前記固定機構２および前記第２位置決め機構５が設
けられており、隣り合う前記固定機構２と前記第２位置決め機構５とが係合されている、
ことを特徴とする請求項２に記載の風力発電機の多段組立型インペラ。
【請求項４】
前記伝動機構４は、ピストン４１と、伝動ロッド４２と、およびバッフル４３とを含み、
前記ピストン４１と前記固定スリーブ２３とが滑動可能に接続されており、前記固定スリ
ーブ２３に取外可能に接続されるように前記バッフル４３が設けられており、前記伝動ロ
ッド４２と前記バッフル４３とが回転可能に接続されており、前記伝動ロッド４２と前記
ピストン４１とがネジ接続されている、ことを特徴とする請求項３に記載の風力発電機の
多段組立型インペラ。
【請求項５】
前記位置限定機構６は、案内穴６１と、案内室６２と、位置限定板６３と、貫通穴６４と
、第１復帰ばね６５と、および位置限定ブロック６６とを含み、
前記固定スリーブ２３の内部に前記案内穴６１が設けられており、前記案内穴６１の一端
が前記ピストン４１と前記固定スリーブ２３との間で囲まれる収納空間を貫通しており、
前記案内穴６１の他端が前記案内室６２を貫通しており、前記案内室６２が前記固定スリ
ーブ２３の内部に設けられており、前記固定スリーブ２３の内部に滑動可能に接続される
ように円環アレイにて複数個の前記位置限定板６３が設けられており、前記位置限定板６
３と前記位置決めスリーブ５１とが係合され、前記位置限定板６３の端部が四角台の構成
とされ、前記位置限定板６３にが前記案内室６２に連通する前記貫通穴６４が設けられて
おり、前記貫通穴６４が前記位置限定ブロック６６まで延伸するように形成され、前記第
１復帰ばね６５の両端がそれぞれ前記位置限定ブロック６６および前記位置限定板６３に
固定されており、前記位置限定ブロック６６の滑動方向と前記位置限定板６３の滑動方向
とが垂直であり、前記位置限定ブロック６６が前記位置決めスリーブ５１に接触しており
、前記固定機構２の内部に隣り合う前記第２位置決め機構５を位置限定するための前記位
置限定機構６が設けられており、前記位置限定機構６と前記第２位置決め機構５とが係合
している、ことを特徴とする請求項４に記載の風力発電機の多段組立型インペラ。
【請求項６】
前記駆動機構７は、駆動ディスク７１と、位置限定穴７２と、位置決め穴７３と、止めブ
ロック７４と、第２復帰ばね７５と、および係合ブロック７６とを含み、
前記駆動ディスク７１が前記伝動ロッド４２に固定されており、前記駆動ディスク７１に
正六角柱とされる前記位置決め穴７３が設けられており、前記位置決め穴７３と前記伝動
ロッド４２の軸心とが同一の位置に位置しないように配置されており、前記止めブロック
７４と前記駆動ディスク７１とが滑動可能に接続されており、断面が台形である前記止め
ブロック７４の端部が前記位置決め穴７３の内部まで延伸するように形成され、前記駆動
ディスク７１の内部にＵ字状とされる前記係合ブロック７６が設けられており、前記係合
ブロック７６と前記固定スリーブ２３に円環アレイにて設置される前記位置限定穴７２が
同一の水平面に配置されており、前記係合ブロック７６と前記止めブロック７４の滑動方
向が逆方向であり、前記第２復帰ばね７５が前記係合ブロック７６と前記駆動ディスク７
１の間に設けられている、ことを特徴とする請求項４に記載の風力発電機の多段組立型イ
ンペラ。
【請求項７】
前記第１位置決め機構１は、位置決め溝１１と、補強リング１２と、位置決めブロック１
３と、およびシールリング１４とを含み、
縁部が円台形とされる前記シールリング１４が発電機の伝動ユニットに接続される一段の
前記インペラ本体３に固定されており、逆Ｕ字状とされる前記補強リング１２が前記シー
ルリング１４に固定されており、前記補強リング１２の内部に前記位置決め溝１１が設け
られており、前記補強リング１２の内部に円環アレイにて複数個の四角錐の前記位置決め
ブロック１３が設けられており、前記位置決めブロック１３が前記位置決め溝１１の内部
に設けられている、ことを特徴とする請求項１に記載の風力発電機の多段組立型インペラ
。
【発明の詳細な説明】
【技術分野】
【０００１】
本発明は、風力発電設備の分野に関し、具体的には風力発電機の多段組立型インペラであ
る。
【背景技術】
【０００２】
風力発電は、風の運動エネルギーを電気エネルギーに変換し、風力エネルギーはクリーン
で無害の再生可能エネルギーであり、早くから人々に利用されている。主に風車を通じて
水を汲み上げる。人々が興味を持っているのは、風を利用して発電する方法である。風力
発電は非常に環境保護に優れている。発電塔はプロベラの回転によって風力発電機に動力
を提供し、安全で環境に優しい電気エネルギーを生み出す。
【０００３】
しかし、伝統的なプロペラの体積は巨大で、山間地帯に運送する時、山間部の道路はでこ
ぼこしており、運送の過程では非常に不便であり、運搬は更に時間・労力を消耗し、操作
が適当でないとプロペラの破損を引き起こしやすい。同時に、プロペラの端部はボルトを
通して発電機の端部の伝動部品に接続されている。インペラ接続の安定性は悪い。
【発明の概要】
【０００４】
上記の問題を解決するために、以下の風力発電機の多段組立型インペラを採用する。
【０００５】
風力発電機の多段組立型インペラは、
第１位置決め機構１と、固定機構２と、多段のインペラ本体３と、伝動機構４と、第２位
置決め機構５と、位置限定機構６と、および駆動機構７とを含み、
風力発電機へ接続する最端部の一段の前記インペラ本体３に位置決めに用いられる前記第
１位置決め機構１が設けられており、隣り合う両段の前記インペラ本体３の対向端にそれ
ぞれ前記固定機構２と前記第２位置決め機構５が設けられており、隣り合う前記固定機構
２と前記第２位置決め機構５とが係合されており、前記固定機構２の内部に隣り合う前記
第２位置決め機構５を位置限定するための前記位置限定機構６が設けられており、前記位
置限定機構６と前記第２位置決め機構５とが係合されており、前記固定機構２の内部に前
記位置限定機構６を増圧させるための前記伝動機構４が設けられており、前記伝動機構４
が駆動に用いられる前記駆動機構７に接続されており、前記駆動機構７と前記伝動機構４
とが取外可能に接続されており、前記駆動機構７と前記固定機構２とが係合されている。
【０００６】
好ましくは、前記固定機構２は、蓋板２１と、半田ワイヤ２２と、固定スリーブ２３と、
補強ロッド２４と、を含み、
隣り合う両段の前記インペラ本体３のうちの一端に前記半田ワイヤ２２によって前記固定
スリーブ２３がはんだ付けされており、前記固定スリーブ２３の軸方向における断面の端
部がＴ字状であり、前記固定スリーブ２３に前記固定スリーブ２３および前記インペラ本
体３を垂直に貫通するように円環アレイにて複数個の前記補強ロッド２４が設けられてお
り、前記補強ロッド２４が前記半田ワイヤ２２にはんだ付けされており、前記固定スリー
ブ２３に前記蓋板２１がはんだ付けされている。
【０００７】
好ましくは、前記第２位置決め機構５は、位置決めスリーブ５１と、半田溝５２とを含み
、
断面が台形とされる前記位置決めスリーブ５１および前記固定スリーブ２３が、それぞれ
隣り合う両段の前記インペラ本体３の対向端に対称的にはんだ付けされており、前記位置
決めスリーブ５１と前記固定スリーブ２３のとが係合されており、前記位置決めスリーブ
５１と前記固定スリーブ２３の端部とが係合されており、前記固定スリーブ２３の前記位
置決めスリーブ５１の一端に向かう端部が正六角柱の構成とされており、隣り合う両段の
前記インペラ本体３の対向端にそれぞれ前記固定機構２および前記第２位置決め機構５が
設けられており、隣り合う前記固定機構２と前記第２位置決め機構５とが係合されている
。
【０００８】
好ましくは、前記伝動機構４は、ピストン４１と、伝動ロッド４２と、およびバッフル４
３とを含み、
前記ピストン４１と前記固定スリーブ２３とが滑動可能に接続されており、前記固定スリ
ーブ２３に取外可能に接続されるように前記バッフル４３が設けられており、前記伝動ロ
ッド４２と前記バッフル４３とが回転可能に接続されており、前記伝動ロッド４２と前記
ピストン４１とがネジ接続されている。
【０００９】
好ましくは、前記位置限定機構６は、案内穴６１と、案内室６２と、位置限定板６３と、
貫通穴６４と、第１復帰ばね６５と、および位置限定ブロック６６とを含み、
前記固定スリーブ２３の内部に前記案内穴６１が設けられており、前記案内穴６１の一端
が前記ピストン４１と前記固定スリーブ２３との間で囲まれる収納空間を貫通しており、
前記案内穴６１の他端が前記案内室６２を貫通しており、前記案内室６２が前記固定スリ
ーブ２３の内部に設けられており、前記固定スリーブ２３の内部に滑動可能に接続される
ように円環アレイにて複数個の前記位置限定板６３が設けられており、前記位置限定板６
３と前記位置決めスリーブ５１とが係合され、前記位置限定板６３の端部が四角台の構成
とされ、前記位置限定板６３にが前記案内室６２に連通する前記貫通穴６４が設けられて
おり、前記貫通穴６４が前記位置限定ブロック６６まで延伸するように形成され、前記第
１復帰ばね６５の両端がそれぞれ前記位置限定ブロック６６および前記位置限定板６３に
固定されており、前記位置限定ブロック６６の滑動方向と前記位置限定板６３の滑動方向
とが垂直であり、前記位置限定ブロック６６が前記位置決めスリーブ５１に接触しており
、前記固定機構２の内部に隣り合う前記第２位置決め機構５を位置限定するための前記位
置限定機構６が設けられており、前記位置限定機構６と前記第２位置決め機構５とが係合
している。
【００１０】
好ましくは、前記駆動機構７は、駆動ディスク７１と、位置限定穴７２と、位置決め穴７
３と、止めブロック７４と、第２復帰ばね７５と、および係合ブロック７６とを含み、
前記駆動ディスク７１が前記伝動ロッド４２に固定されており、前記駆動ディスク７１に
正六角柱とされる前記位置決め穴７３が設けられており、前記位置決め穴７３と前記伝動
ロッド４２の軸心が、同一の位置に位置しないように配置されており、前記止めブロック
７４と前記駆動ディスク７１とが滑動可能に接続されており、断面が台形とされる前記止
めブロック７４の端部が前記位置決め穴７３の内部まで延伸するように形成され、前記駆
動ディスク７１の内部にＵ字状とされる前記係合ブロック７６が設けられており、前記係
合ブロック７６と前記固定スリーブ２３に円環アレイにて設置される前記位置限定穴７２
が同一の水平面に配置されており、前記係合ブロック７６と前記止めブロック７４の滑動
方向が逆方向であり、前記第２復帰ばね７５が前記係合ブロック７６と前記駆動ディスク
７１の間に設けられている。
【００１１】
好ましくは、前記第１位置決め機構１は、位置決め溝１１と、補強リング１２と、位置決
めブロック１３と、およびシールリング１４とを含み、
縁部が円台形とされる前記シールリング１４が発電機の伝動ユニットに接続される一段の
前記インペラ本体３に固定されており、逆Ｕ字状とされる前記補強リング１２が前記シー
ルリング１４に固定されており、前記補強リング１２の内部に前記位置決め溝１１が設け
られており、前記補強リング１２の内部に円環アレイにて複数個の四角錐の前記位置決め
ブロック１３が設けられており、前記位置決めブロック１３が前記位置決め溝１１の内部
に設けられている。
【００１２】
本発明の利点は、先行技術に比べて、以下の有利な効果がある。
（１）本発明は、風力発電機の多段組立型インペラを提供し、隣り合う両段の前記インペ
ラ本体３の対向端にそれぞれ前記固定機構２と前記第２位置決め機構５が設けられており
、隣り合う前記固定機構２と前記第２位置決め機構５とが係合されており、前記固定機構
２と前記第２位置決め機構５をそれぞれ両段の前記インペラ本体３の対向端に固定でき、
接続をより確実的にさせる。具体的には、まず、前記固定スリーブ２３および前記位置決
めスリーブ５１を対応させるように隣り合う両段前記インペラ本体３の対向端に係合させ
て、そして、複数個の前記補強ロッド２４を円環アレイにて前記インペラ本体３および前
記固定スリーブ２３に貫通させて、それから、前記半田ワイヤ２２によって前記インペラ
本体３と前記固定スリーブ２３とをはんだ付け、前記位置決めスリーブ５１と前記インペ
ラ本体３とをはんだ付けるように組み立てる。ここで、前記位置決めスリーブ５１の端部
が円台形とされることで、前記位置決めスリーブ５１と前記インペラ本体３との接触面積
を増大させて、前記接続をより確実的にさせることができる。さらに、前記固定スリーブ
２３と前記位置決めスリーブ５１とを係合させる。ここで、前記固定スリーブ２３の端部
が正六角柱構成とされることで、前記インペラ本体３に対する位置決めを回避することが
でき、隣り合う両段の前記インペラ本体３の間の接続をより快適に行える。
（２）前記固定機構２の内部に、隣り合う前記第２位置決め機構５を位置限定するための
前記位置限定機構６が設けられている。そして、前記位置限定機構６と前記第２位置決め
機構５とが係合されている。前記固定機構２の内部に前記位置限定機構６を増圧させるた
めの前記伝動機構４が設けられている。このようにして、前記伝動機構４によって前記固
定機構２と前記第２位置決め機構５とを位置限定できるように前記位置限定機構６を駆動
することができる。これによって、前記第２位置決め機構５と前記固定機構２の間の取付
および取外がより快適に行われ得る。さらに、このように構成されると、インペラを多段
の前記インペラ本体３に分割することができると、インペラの輸送が便利になって、有効
的にインペラの輸送中における損害を防止することができる。具体的には、前記ピストン
４１と前記固定スリーブ２３の間の収納空間、前記案内穴６１、そして、前記案内室６２
および前記貫通穴６４の内部に、いずれも、充分な油液が充填されている。前記伝動ロッ
ド４２と前記バッフル４３が回転すると、前記伝動ロッド４２によって前記ピストン４１
と前記固定スリーブ２３とを滑動させるようにネジ駆動する。これによって、前記ピスト
ン４１と前記固定スリーブ２３の間の収納空間内の油液を、前記案内穴６１を介して前記
案内室６２に進入させて、前記案内室６２の内圧が増大して、これによって前記位置限定
板６３と前記固定スリーブ２３とを滑動させる。そして、前記位置限定板６３と前記位置
決めスリーブ５１とを係合させて、これによって有効的に前記固定スリーブ２３と前記位
置決めスリーブ５１とのずれ離れを防止することができる。前記位置限定板６３の端部が
四角台構成とされることによって、案内機能を発揮でき、前記位置限定板６３をより容易
に前記位置決めスリーブ５１に進入させることができる。それから、続いて前記伝動ロッ
ド４２を回転させれば、前記伝動ロッド４２によって前記ピストン４１と前記固定スリー
ブ２３とを滑動させるようにネジ駆動する。これによって、前記ピストン４１と前記固定
スリーブ２３の間の収納空間内の油液を前記案内穴６１を介して前記案内室６２に進入さ
せる。それと伴って、前記案内室６２の内圧が増大して、前記位置限定板６３と前記固定
スリーブ２３とを滑動させる。前記位置限定板６３が滑動できなくなってから、油圧が続
いて増大して、前記貫通穴６４から油液が入って前記位置限定ブロック６６を駆動する。
これで、前記第１復帰ばね６５が引き伸ばして、前記位置限定ブロック６６が前記位置決
めスリーブ５１に接触するようになって、これによって前記位置限定板６３と前記位置決
めスリーブ５１との接続を確実的にさせる。前記インペラ本体３が回転するとき、遠心力
によって前記位置決めスリーブ５１が前記位置限定ブロック６６に横方向に圧力を加えて
、前記位置限定ブロック６６が前記第１復帰ばね６５に接触していくと、油液が前記貫通
穴６４から前記案内室６２に入って、さらに前記位置限定板６３への圧力を増大させ、こ
れによって前記位置限定板６３と前記位置決めスリーブ５１との安定性を向上させる。さ
らに、このようにインペラを多段の前記インペラ本体３に分割するように構成されたら、
インペラを山間地帯へ輸送することに適合できて、有効的にインペラの輸送中における損
害を防止するとともに、製作難度を低減させることができる。
（３）前記伝動機構４が、駆動用の前記駆動機構７に接続されている。前記駆動機構７と
前記伝動機構４とが取外可能に接続されている。そして、前記駆動機構７と前記固定機構
２のとが係合されている。これで、前記駆動機構７を設けることによって、前記伝動機構
４の駆動をより省力的にさせるとともに、前記伝動機構４を容易に位置限定することがで
き、伝動をより安定的にさせる。具体的には、前記固定スリーブ２３と前記位置決めスリ
ーブ５１との係合がなされると、レンチを前記位置決め穴７３の内部に係合させて、レン
チを断面が台形とされる前記止めブロック７４に接触させて、前記止めブロック７４と前
記駆動ディスク７１とを滑動させて、そして、前記止めブロック７４がレンチに接触する
ようにできる。このようにして、レンチと前記駆動ディスク７１との接続をより確実的に
させる。そして、前記位置決め穴７３が前記駆動ディスク７１の縁部位置に設けられるこ
とによって、駆動モーメントをより大きくさせ、よって前記伝動ロッド４２の駆動をより
省力させる。前記止めブロック７４が滑動すると、前記止めブロック７４と前記駆動ディ
スク７１との間の気体によって前記係合ブロック７６と前記駆動ディスク７１とを滑動さ
せるように駆動する。これによって、前記係合ブロック７６と前記位置限定穴７２とを係
合させないようにできて、前記駆動ディスク７１を回転可能にさせる。レンチを抜き出す
と、前記第２復帰ばね７５が延ばされて、前記第２復帰ばね７５によって前記係合ブロッ
ク７６と前記位置限定穴７２とを係合させ、快速に前記駆動ディスク７１を位置限定する
。これによって、前記伝動ロッド４２を回転不可能にさせて、前記接続をより的確的にさ
せる。
（４）風力発電機への接続に用いられる最端部の一段の前記インペラ本体３に、位置決め
に用いられる前記第１位置決め機構１が設けられている。ここで、前記第１位置決め機構
１を設けることによって、前記インペラ本体３と発電機との接続をより快適に行えるとと
もに、前記接続の面積を増大させ、前記接続をより確実的にさせることができる。具体的
には、まず発電機の伝動ユニットに前記位置決め溝１１に嵌合する凸ブロックを設置する
とともに、前記位置決めブロック１３に嵌合する凹溝を設置する。また、インペラの取付
を行う場合、前記位置決めブロック１３を発電機の伝動ユニット上の凹溝に合わせるとと
もに、前記位置決め溝１１に合わせて快速に前記インペラ本体３を位置決めする。このよ
うにして、前記インペラ本体３の取付をより快適に行える。また、逆Ｕ字状の前記補強リ
ング１２が前記シールリング１４に固定され、前記補強リング１２の内部に前記位置決め
溝１１が設けられ、前記補強リング１２の内部に円環アレイにて複数個の四角錐の前記位
置決めブロック１３が設けられていることによって、発電機の伝動ユニットとの接触面積
を増大させ、よって取付後のインペラをより安定的にさせる。
【図面の簡単な説明】
【００１３】
以下、図面及び実施例とともに、本発明をさらに説明する。
【図１】本発明によって提供される風力発電機の多段組立型インペラの全体構成図である。
【図２】図１に示すＡ箇所の拡大図である。
【図３】図２に示す第１位置決め機構の構成図である。
【図４】図１に示す固定機構とインペラ本体との接続構造を示す図である。
【図５】図４に示すＢ箇所の拡大図である。
【図６】図４に示すＣ箇所の拡大図である。
【図７】図６に示すＤ箇所の拡大図である。
【図８】図５に示す固定スリーブと位置限定板との接続構造を示す図である。
【００１４】
［符号の説明］
第１位置決め機構  １、  固定機構  ２、  多段のインペラ本体  ３、  伝動機構  ４、
第２位置決め機構  ５、  位置限定機構  ６、  駆動機構  ７、  蓋板  ２１、  半田
ワイヤ  ２２、  固定スリーブ  ２３、  補強ロッド  ２４、  位置決めスリーブ  ５１
、  半田溝  ５２、  ピストン  ４１、  伝動ロッド  ４２、  バッフル  ４３、
案内穴  ６１、  案内室  ６２、  位置限定板  ６３、  貫通穴  ６４、  第１復帰ば
ね  ６５、  位置限定ブロック  ６６、  駆動ディスク  ７１、  位置限定穴  ７２、  
位置決め穴  ７３、  止めブロック  ７４、  第２復帰ばね  ７５、  係合ブロック  ７
６、  位置決め溝  １１、  補強リング  １２、  位置決めブロック  １３、  シールリ
ング  １４
【発明を実施するための形態】
【００１５】
本発明によって実現される技術的手段、創作的特徴、目的と効果を分かりやすくするため
に、以下では具体的な実施形態に関連して、本発明をさらに説明する。
【００１６】
図１〜８に示すように、風力発電機の多段組立型インペラは、第１位置決め機構１と、固
定機構２と、多段のインペラ本体３と、伝動機構４と、第２位置決め機構５と、位置限定
機構６と、および駆動機構７とを含んでいる。風力発電機へ接続する最端部の一段の前記
インペラ本体３に、位置決めに用いられる前記第１位置決め機構１が設けられている。隣
り合う両段の前記インペラ本体３の対向端にそれぞれ前記固定機構２と前記第２位置決め
機構５が設けられている。そして、隣り合う前記固定機構２と前記第２位置決め機構５と
が係合されている。前記固定機構２の内部に、隣り合う前記第２位置決め機構５を位置限
定するための前記位置限定機構６が設けられている。そして、前記位置限定機構６と前記
第２位置決め機構５とが係合されている。前記固定機構２の内部に、前記位置限定機構６
を増圧させるための前記伝動機構４が設けられている。そして、前記伝動機構４が、駆動
に用いられる前記駆動機構７に接続されている。前記駆動機構７と前記伝動機構４とが取
外可能に接続されている。そして、前記駆動機構７と前記固定機構２とが係合されている
。
【００１７】
前記固定機構２は、蓋板２１と、半田ワイヤ２２と、固定スリーブ２３と、補強ロッド２
４と、を含んでいる。隣り合う両段の前記インペラ本体３のうちの一端に、前記半田ワイ
ヤ２２によって前記固定スリーブ２３がはんだ付けされている。前記固定スリーブ２３の
軸方向における断面の端部がＴ字状とされている。前記固定スリーブ２３に、前記固定ス
リーブ２３および前記インペラ本体３を垂直に貫通するように円環アレイにて複数個の前
記補強ロッド２４が設けられている。前記補強ロッド２４が前記半田ワイヤ２２にはんだ
付けされている。前記固定スリーブ２３に前記蓋板２１がはんだ付けされている。
【００１８】
前記第２位置決め機構５は、位置決めスリーブ５１と、半田溝５２とを含んでいる。断面
が台形とされる前記位置決めスリーブ５１、および前記固定スリーブ２３が、それぞれ隣
り合う両段の前記インペラ本体３の対向端に対称的にはんだ付けされている。前記位置決
めスリーブ５１と前記固定スリーブ２３のとが係合されている。前記位置決めスリーブ５
１と前記固定スリーブ２３の端部とが係合されている。前記固定スリーブ２３の前記位置
決めスリーブ５１の一端に向かう端部が正六角柱の構成とされている。隣り合う両段の前
記インペラ本体３の対向端にそれぞれ前記固定機構２および前記第２位置決め機構５が設
けられている。そして、隣り合う前記固定機構２と前記第２位置決め機構５とが係合され
ている。このようにして、前記固定機構２と前記第２位置決め機構５をそれぞれ両段の前
記インペラ本体３の対向端に固定でき、接続をより確実的にさせる。具体的には、まず、
前記固定スリーブ２３および前記位置決めスリーブ５１を対応させるように隣り合う両段
前記インペラ本体３の対向端に係合させて、そして、複数個の前記補強ロッド２４を円環
アレイにて前記インペラ本体３および前記固定スリーブ２３に貫通させて、それから、前
記半田ワイヤ２２によって前記インペラ本体３と前記固定スリーブ２３とをはんだ付け、
前記位置決めスリーブ５１と前記インペラ本体３とをはんだ付けるように組み立てる。こ
こで、前記位置決めスリーブ５１の端部が円台形とされることで、前記位置決めスリーブ
５１と前記インペラ本体３との接触面積を増大させて、前記接続をより確実的にさせるこ
とができる。さらに、前記固定スリーブ２３と前記位置決めスリーブ５１とを係合させる
。ここで、前記固定スリーブ２３の端部が正六角柱構成とされることで、前記インペラ本
体３に対する位置決めを回避することができ、隣り合う両段の前記インペラ本体３の間の
接続をより快適に行える。
【００１９】
前記伝動機構４は、ピストン４１と、伝動ロッド４２と、およびバッフル４３とを含んで
いる。前記ピストン４１と前記固定スリーブ２３とが滑動可能に接続されている。前記固
定スリーブ２３に、取外可能に接続されるように前記バッフル４３が設けられている。前
記伝動ロッド４２と前記バッフル４３とが回転可能に接続されている。前記伝動ロッド４
２と前記ピストン４１とがネジ接続されている。
【００２０】
前記位置限定機構６は、案内穴６１と、案内室６２と、位置限定板６３斗、貫通穴６４と
、第１復帰ばね６５と、および位置限定ブロック６６とを含んでいる。前記固定スリーブ
２３の内部に前記案内穴６１が設けられている。前記案内穴６１の一端が、前記ピストン
４１と前記固定スリーブ２３との間で囲まれる収納空間に貫通している。前記案内穴６１
の他端が前記案内室６２に貫通している。前記案内室６２が前記固定スリーブ２３の内部
に設けられている。前記固定スリーブ２３の内部に、滑動可能に接続されるように、円環
アレイにて複数個の前記位置限定板６３が設けられている。前記位置限定板６３と前記位
置決めスリーブ５１とが係合される。前記位置限定板６３の端部が四角台の構成とされる
。前記位置限定板６３にが前記案内室６２に連通する前記貫通穴６４が設けられている。
前記貫通穴６４が前記位置限定ブロック６６まで延伸するように形成される。前記第１復
帰ばね６５の両端がそれぞれ前記位置限定ブロック６６および前記位置限定板６３に固定
されている。前記位置限定ブロック６６の滑動方向と前記位置限定板６３の滑動方向とが
垂直されている。前記位置限定ブロック６６が前記位置決めスリーブ５１に接触されてい
る。前記固定機構２の内部に、隣り合う前記第２位置決め機構５を位置限定するための前
記位置限定機構６が設けられている。そして、前記位置限定機構６と前記第２位置決め機
構５とが係合されている。前記固定機構２の内部に前記位置限定機構６を増圧させるため
の前記伝動機構４が設けられている。このようにして、前記伝動機構４によって前記固定
機構２と前記第２位置決め機構５とを位置限定できるように前記位置限定機構６を駆動す
ることができる。これによって、前記第２位置決め機構５と前記固定機構２の間の取付お
よび取外がより快適に行われ得る。さらに、このように構成されると、インペラを多段の
前記インペラ本体３に分割することができると、インペラの輸送が便利になって、有効的
にインペラの輸送中における損害を防止することができる。具体的には、前記ピストン４
１と前記固定スリーブ２３の間の収納空間、前記案内穴６１、そして、前記案内室６２お
よび前記貫通穴６４の内部に、いずれも、充分な油液が充填されている。前記伝動ロッド
４２と前記バッフル４３が回転すると、前記伝動ロッド４２によって前記ピストン４１と
前記固定スリーブ２３とを滑動させるようにネジ駆動する。これによって、前記ピストン
４１と前記固定スリーブ２３の間の収納空間内の油液を、前記案内穴６１を介して前記案
内室６２に進入させて、前記案内室６２の内圧が増大して、これによって前記位置限定板
６３と前記固定スリーブ２３とを滑動させる。そして、前記位置限定板６３と前記位置決
めスリーブ５１とを係合させて、これによって有効的に前記固定スリーブ２３と前記位置
決めスリーブ５１とのずれ離れを防止することができる。前記位置限定板６３の端部が四
角台構成とされることによって、案内機能を発揮でき、前記位置限定板６３をより容易に
前記位置決めスリーブ５１に進入させることができる。それから、続いて前記伝動ロッド
４２を回転させれば、前記伝動ロッド４２によって前記ピストン４１と前記固定スリーブ
２３とを滑動させるようにネジ駆動する。これによって、前記ピストン４１と前記固定ス
リーブ２３の間の収納空間内の油液を前記案内穴６１を介して前記案内室６２に進入させ
る。それと伴って、前記案内室６２の内圧が増大して、前記位置限定板６３と前記固定ス
リーブ２３とを滑動させる。前記位置限定板６３が滑動できなくなってから、油圧が続い
て増大して、前記貫通穴６４から油液が入って前記位置限定ブロック６６を駆動する。こ
れで、前記第１復帰ばね６５が引き伸ばして、前記位置限定ブロック６６が前記位置決め
スリーブ５１に接触するようになって、これによって前記位置限定板６３と前記位置決め
スリーブ５１との接続を確実的にさせる。前記インペラ本体３が回転するとき、遠心力に
よって前記位置決めスリーブ５１が前記位置限定ブロック６６に横方向に圧力を加えて、
前記位置限定ブロック６６が前記第１復帰ばね６５に接触していくと、油液が前記貫通穴
６４から前記案内室６２に入って、さらに前記位置限定板６３への圧力を増大させ、これ
によって前記位置限定板６３と前記位置決めスリーブ５１との安定性を向上させる。さら
に、このようにインペラを多段の前記インペラ本体３に分割するように構成されたら、イ
ンペラを山間地帯へ輸送することに適合できて、有効的にインペラの輸送中における損害
を防止するとともに、製作難度を低減させることができる。
【００２１】
前記駆動機構７は、駆動ディスク７１と、位置限定穴７２と、位置決め穴７３と、止めブ
ロック７４と、第２復帰ばね７５と、および係合ブロック７６とを含んでいる。前記駆動
ディスク７１が前記伝動ロッド４２に固定されている。前記駆動ディスク７１に正六角柱
とされる前記位置決め穴７３が設けられている。前記位置決め穴７３と前記伝動ロッド４
２の軸心が、同一の位置に位置していないようにされる。前記止めブロック７４と前記駆
動ディスク７１とが滑動可能に接続されている。断面が台形とされる前記止めブロック７
４の端部が前記位置決め穴７３の内部まで延伸するように形成される。前記駆動ディスク
７１の内部にＵ字状とされる前記係合ブロック７６が設けられている。前記係合ブロック
７６と前記固定スリーブ２３に円環アレイにて設置される前記位置限定穴７２が同一の水
平面に位置されている。前記係合ブロック７６と前記止めブロック７４の滑動方向が逆方
向である。前記第２復帰ばね７５が前記係合ブロック７６と前記駆動ディスク７１の間に
設けられている。前記伝動機構４が、駆動用の前記駆動機構７に接続されている。前記駆
動機構７と前記伝動機構４とが取外可能に接続されている。そして、前記駆動機構７と前
記固定機構２のとが係合されている。これで、前記駆動機構７を設けることによって、前
記伝動機構４の駆動をより省力的にさせるとともに、前記伝動機構４を容易に位置限定す
ることができ、伝動をより安定的にさせる。具体的には、前記固定スリーブ２３と前記位
置決めスリーブ５１との係合がなされると、レンチを前記位置決め穴７３の内部に係合さ
せて、レンチを断面が台形とされる前記止めブロック７４に接触させて、前記止めブロッ
ク７４と前記駆動ディスク７１とを滑動させて、そして、前記止めブロック７４がレンチ
に接触するようにできる。このようにして、レンチと前記駆動ディスク７１との接続をよ
り確実的にさせる。そして、前記位置決め穴７３が前記駆動ディスク７１の縁部位置に設
けられることによって、駆動モーメントをより大きくさせ、よって前記伝動ロッド４２の
駆動をより省力させる。前記止めブロック７４が滑動すると、前記止めブロック７４と前
記駆動ディスク７１との間の気体によって前記係合ブロック７６と前記駆動ディスク７１
とを滑動させるように駆動する。これによって、前記係合ブロック７６と前記位置限定穴
７２とを係合させないようにできて、前記駆動ディスク７１を回転可能にさせる。レンチ
を抜き出すと、前記第２復帰ばね７５が延ばされて、前記第２復帰ばね７５によって前記
係合ブロック７６と前記位置限定穴７２とを係合させ、快速に前記駆動ディスク７１を位
置限定する。これによって、前記伝動ロッド４２を回転不可能にさせて、前記接続をより
的確的にさせる。
【００２２】
前記第１位置決め機構１は、位置決め溝１１と、補強リング１２と、位置決めブロック１
３と、およびシールリング１４とを含んでいる。縁部が円台形とされる前記シールリング
１４が、発電機の伝動ユニットに接続される一段の前記インペラ本体３に固定されている
。逆Ｕ字状とされる前記補強リング１２が前記シールリング１４に固定されている。前記
補強リング１２の内部に前記位置決め溝１１が設けられている。前記補強リング１２の内
部に円環アレイにて複数個の四角錐の前記位置決めブロック１３が設けられている。前記
位置決めブロック１３が、前記位置決め溝１１の内部に設けられている。風力発電機への
接続に用いられる最端部の一段の前記インペラ本体３に、位置決めに用いられる前記第１
位置決め機構１が設けられている。ここで、前記第１位置決め機構１を設けることによっ
て、前記インペラ本体３と発電機との接続をより快適に行えるとともに、前記接続の面積
を増大させ、前記接続をより確実的にさせることができる。具体的には、まず発電機の伝
動ユニットに前記位置決め溝１１に嵌合する凸ブロックを設置するとともに、前記位置決
めブロック１３に嵌合する凹溝を設置する。また、インペラの取付を行う場合、前記位置
決めブロック１３を発電機の伝動ユニット上の凹溝に合わせるとともに、前記位置決め溝
１１に合わせて快速に前記インペラ本体３を位置決めする。このようにして、前記インペ
ラ本体３の取付をより快適に行える。また、逆Ｕ字状の前記補強リング１２が前記シール
リング１４に固定され、前記補強リング１２の内部に前記位置決め溝１１が設けられ、前
記補強リング１２の内部に円環アレイにて複数個の四角錐の前記位置決めブロック１３が
設けられていることによって、発電機の伝動ユニットとの接触面積を増大させ、よって取
付後のインペラをより安定的にさせる。
【００２３】
使用時において、まず、前記固定スリーブ２３および前記位置決めスリーブ５１を対応さ
せるように隣り合う両段前記インペラ本体３の対向端に係合させて、そして、複数個の前
記補強ロッド２４を円環アレイにて前記インペラ本体３および前記固定スリーブ２３に貫
通させて、それから、前記半田ワイヤ２２によって前記インペラ本体３と前記固定スリー
ブ２３とをはんだ付け、前記位置決めスリーブ５１と前記インペラ本体３とをはんだ付け
るように組み立てる。ここで、前記位置決めスリーブ５１の端部が円台形とされることで
、前記位置決めスリーブ５１と前記インペラ本体３との接触面積を増大させて、前記接続
をより確実的にさせることができる。さらに、前記固定スリーブ２３と前記位置決めスリ
ーブ５１とを係合させる。ここで、前記固定スリーブ２３の端部が正六角柱構成とされる
ことで、前記インペラ本体３に対する位置決めを回避することができ、隣り合う両段の前
記インペラ本体３の間の接続をより快適に行える。前記伝動機構４が、駆動用の前記駆動
機構７に接続されている。前記駆動機構７と前記伝動機構４とが取外可能に接続されてい
る。そして、前記駆動機構７と前記固定機構２のとが係合されている。これで、前記駆動
機構７を設けることによって、前記伝動機構４の駆動をより省力的にさせるとともに、前
記伝動機構４を容易に位置限定することができ、伝動をより安定的にさせる。具体的には
、前記固定スリーブ２３と前記位置決めスリーブ５１との係合がなされると、レンチを前
記位置決め穴７３の内部に係合させて、レンチを断面が台形とされる前記止めブロック７
４に接触させて、前記止めブロック７４と前記駆動ディスク７１とを滑動させて、そして
、前記止めブロック７４がレンチに接触するようにできる。このようにして、レンチと前
記駆動ディスク７１との接続をより確実的にさせる。そして、前記位置決め穴７３が前記
駆動ディスク７１の縁部位置に設けられることによって、駆動モーメントをより大きくさ
せ、よって前記伝動ロッド４２の駆動をより省力させる。前記止めブロック７４が滑動す
ると、前記止めブロック７４と前記駆動ディスク７１との間の気体によって前記係合ブロ
ック７６と前記駆動ディスク７１とを滑動させるように駆動する。これによって、前記係
合ブロック７６と前記位置限定穴７２とを係合させないようにできて、前記駆動ディスク
７１を回転可能にさせる。レンチを抜き出すと、前記第２復帰ばね７５が延ばされて、前
記第２復帰ばね７５によって前記係合ブロック７６と前記位置限定穴７２とを係合させ、
快速に前記駆動ディスク７１を位置限定する。これによって、前記伝動ロッド４２を回転
不可能にさせて、前記接続をより的確的にさせる。前記インペラ本体３が回転するとき、
遠心力によって前記位置決めスリーブ５１が前記位置限定ブロック６６に横方向に圧力を
加えて、前記位置限定ブロック６６が前記第１復帰ばね６５に接触していくと、油液が前
記貫通穴６４から前記案内室６２に入って、さらに前記位置限定板６３への圧力を増大さ
せ、これによって前記位置限定板６３と前記位置決めスリーブ５１との安定性を向上させ
る。さらに、このようにインペラを多段の前記インペラ本体３に分割するように構成され
たら、インペラを山間地帯へ輸送することに適合できて、有効的にインペラの輸送中にお
ける損害を防止するとともに、製作難度を低減させることができる。発電機の伝動ユニッ
トに前記位置決め溝１１に嵌合する凸ブロックを設置するとともに、前記位置決めブロッ
ク１３に嵌合する凹溝を設置する。また、インペラの取付を行う場合、前記位置決めブロ
ック１３を発電機の伝動ユニット上の凹溝に合わせるとともに、前記位置決め溝１１に合
わせて快速に前記インペラ本体３を位置決めする。このようにして、前記インペラ本体３
の取付をより快適に行える。また、逆Ｕ字状の前記補強リング１２が前記シールリング１
４に固定され、前記補強リング１２の内部に前記位置決め溝１１が設けられ、前記補強リ
ング１２の内部に円環アレイにて複数個の四角錐の前記位置決めブロック１３が設けられ
ていることによって、発電機の伝動ユニットとの接触面積を増大させ、よって取付後のイ
ンペラをより安定的にさせる。
【００２４】
以上述べたように、本発明のより良い具体的な実施形態のみであり、本発明の保護範囲は
これに限定されるものではない。本発明の技術分野に精通している技術者は、本発明が開
示した技術範囲内にあり、本発明の技術案及びその改善の構想に従って、同等に代替また
は変更される本発明の保護範囲内に含まれるべきであると理解すべきである。
【要約】      （修正有）【課題】風力発電機の多段組立型インペラを提供する。【解決手段】風力発電機の多段組立型インペラは、第１位置決め機構と、固定機構２と、多段のインペラ本体３と、伝動機構４と、第２位置決め機構５と、位置限定機構６と、および駆動機構とを含む。風力発電機へ接続する最端部のインペラ本体３へ第１位置決め機構が設けられ、インペラ本体３の対向端に固定機構２と第２位置決め機構５が係合されており、固定機構２の内部に隣り合う第２位置決め機構５を位置限定するための位置限定機構６が設けられており、位置限定機構６と第２位置決め機構５とが係合されており、固定機構２の内部に位置限定機構６を増圧させるための伝動機構４が設けられており、伝動機構４が駆動に用いられる駆動機構に接続されており、駆動機構と伝動機構４とが取外可能に接続されており、駆動機構と固定機構２とが係合されている。【選択図】図４【図１】
0006884309.tif 000002
【図２】
0006884309.tif 000003
【図３】
0006884309.tif 000004
【図４】
0006884309.tif 000005
【図５】
0006884309.tif 000006
【図６】
0006884309.tif 000007
【図７】
0006884309.tif 000008
【図８】
0006884309.tif 000009